(57)【特許請求の範囲】
【請求項１】
複製可能回数が制限されたコンテンツデータを記録する記録手段と、
前記記録手段が記録するコンテンツデータを複製する複製手段と、
前記記録手段が記録するコンテンツデータの複製可能回数を区間毎に管理し、前記複製手段による複製に伴い、複製した区間の複製可能回数を減算する管理手段と、
前記記録手段に記録されたコンテンツデータの区間毎の複製可能回数を示す表示画面を作成する表示画面作成手段と、を備え
前記表示画面作成手段は、第１の方向で時間軸を、前記第１の方向とは方向の異なる第２の方向で複製可能回数を示す画像により、コンテンツデータの区間毎の複製可能回数を示す表示画面を作成すること
を特徴とする記録装置。
【請求項２】
前記第２の方向は、前記第１の方向と略直交する方向であること
を特徴とする請求項１記載の記録装置。
【請求項３】
前記表示画面作成手段は、前記コンテンツデータの著作権保護方式と共に、該コンテンツデータの区間毎の複製可能回数を示す画像を前記コンテンツデータに対応付けた表示画面を作成すること
を特徴とする請求項２記載の記録装置。
【請求項４】
前記表示画面作成手段は、前記記録手段が記録するコンテンツデータに対応付けられたアイコンとして示す前記表示画面を作成し、
前記表示画面上に、各アイコンに対応付けられたコンテンツデータの区間毎の複製可能回数を画像として示すこと
を特徴とする請求項３記載の記録装置。
【請求項５】
前記アイコンは、該アイコンに対応するコンテンツデータのサムネイル画像と、該コンテンツデータの区間毎の複製可能回数を示す画像とを有すること
を特徴とする請求項４記載の記録装置。
【発明の詳細な説明】
【技術分野】
【０００１】
本発明は、記録装置に関する。
【背景技術】
【０００２】
近年、テレビジョン放送のデジタル化が推進されている。例えば、日本国内においては、ＢＳ（Ｂｒｏａｄｃａｓｔｉｎｇ  Ｓａｔｅｌｌｉｔｅ）デジタル放送及び１１０度ＣＳ（Ｃｏｍｍｕｎｉｃａｔｉｏｎ  Ｓａｔｅｌｌｉｔｅ）デジタル放送等の衛星デジタル放送だけでなく、地上デジタル放送も開始されている。
【０００３】
このようなデジタル放送にあっては、著作権保護の観点から、放送されるコンテンツに対して、デジタルコピーを全く許可しないコピー禁止の形態、又は、１世代限りのデジタルコピーを許可する、いわゆるコピーワンスと称される形態のコピー制限を施すことが広く行われている。
【０００４】
このため、デジタル放送を受信するデジタル放送受信機能を持つ記録装置においては、コピーワンスの制限が施された番組を受信し、これにより得られるコンテンツデータを所定の記録メディアに記録した場合、その記録メディアに記録されたコンテンツデータを、他の記録メディアにデジタルコピーすることは不可能となっている。
【０００５】
尚、コピーワンスの制限が施されたコンテンツデータは、所定の記録メディアに記録された後、コピーではなくムーブ（移動）によって他の記録メディアに移すことができる。即ち、記録元となる記録メディアに記録されたコンテンツデータは、記録先となる記録メディアに書き込まれた後、記録元の記録メディアからは再生不可能となるように処理される。
【０００６】
特許文献１には、コピー制御情報により録画不可に設定されている番組について録画が要求されたとき、その録画指定された番組の番組名や放送日時などの情報と共に、「指定の番組は録画（コピー）することができません」という旨の警告メッセージを表示させることが開示されている。
【特許文献１】特開２００７−１６５９５０号公報
【発明の開示】
【発明が解決しようとする課題】
【０００７】
これに対し、現在、例えばＨＤＤ（Ｈａｒｄ  Ｄｉｓｋ  Ｄｒｉｖｅ）等の記録媒体を内蔵するタイプのデジタル放送受信装置については、受信して記録媒体に記録したコンテンツに対し、その記録媒体から他の記録媒体に其々１世代に限って複数回のデジタルコピーを可能とする方針が提案され、現在検討されている。
【０００８】
しかしながら、このような現在検討されている手法では、コンテンツデータ全体に対してコピー可能回数とを１対１で対応付けて管理することしか考慮されていない。たとえば歌番組等で特定の歌手が歌うシーンだけをコピーするような場合であっても、コンテンツデータ全体のコピー可能回数が１減算されてしまう。
【０００９】
そこで本発明は上記事情を考慮してなされたもので、コンテンツデータの著作権保護を図りつつ、ユーザによる複製の利便性を向上させることを目的とする。
【課題を解決するための手段】
【００１０】
上記目的を達成するために、本発明の記録装置は、複製可能回数が制限されたコンテンツデータを記録する記録手段と、前記記録手段が記録するコンテンツデータを複製する複製手段と、前記記録手段が記録するコンテンツデータの複製可能回数を区間毎に管理し、前記複製手段による複製に伴い、複製した区間の複製可能回数を減算する管理手段と、前記記録手段に記録されたコンテンツデータの区間毎の複製可能回数を示す表示画面を作成する表示画面作成手段と、を備え、前記表示画面作成手段は、第１の方向で時間軸を、前記第１の方向とは方向の異なる第２の方向で複製可能回数を示す画像により、コンテンツデータの区間毎の複製可能回数を示す表示画面を作成する。
【発明の効果】
【００１１】
本発明によれば、コンテンツデータの著作権保護を図りつつ、ユーザによる複製の利便性を向上させることができる。
【発明を実施するための最良の形態】
【００１２】
以下、本発明の記録装置について、図面を参照しながら説明する。図１は、この実施の形態で説明するテレビジョン放送受信装置１００の概略を示している。
アンテナ１０２で受信したデジタル放送信号は図示しない入力端子を介してデジタルチューナ部１０４に供給され、このデジタルチューナ部１０４で所望のチャネルの放送信号が選局される。
【００１３】
このデジタルチューナ部１０４で選曲された放送信号は、暗号解読部１０５に供給されてデスクランブル処理が施された後、復号部１０８に供給されて復号化処理が行われる。復号部１０８から出力されたデジタル信号は、グラフィック処理部１１０に供給され、ＧＵＩ（Ｇｒａｐｈｉｃａｌ  Ｕｓｅｒ  Ｉｎｔｅｒｆａｃｅ）処理部１１１から出力される、コンテンツデータの一覧表示画面等のＧＵＩを示すＯＳＤ（Ｏｎ  Ｓｃｒｅｅｎ  Ｄｉｓｐｌａｙ）信号がこのデジタル信号と重畳された後、表示部１１２での映像表示に供される。尚、復号部１０８で復号され出力されるデジタル信号は映像信号だけでなく音声信号も含み、図示しないスピーカでの音声再生にも供される。
【００１４】
また、上記暗号解読部１０６で復号化処理（デスクランブル処理）が施されたコンテンツデータは、暗号化部１１４によりローカル暗号化処理が施された後、デジタルテレビジョン放送受信装置１００に内蔵されたＨＤＤ部１１６に供給され、記録される。この場合、ＨＤＤ部１１６に記録することを指示されたコンテンツデータに対しては、コピー可能回数抽出部１１８により、該コンテンツデータに設定されたコピー可能回数（例えば、１度記録後複製を作成することができないコピーワンスか、１世代に限り９個複製ができるダビング１０か、無制限に複製可能なコピーフリーか等）が抽出され、このコピー可能回数情報は、各コンテンツデータと対応付けられてコピー回数管理部１２０で管理される。ＨＤＤ部１１６に記録されたコンテンツデータを他の１つの記録メディアにコピー（複製）することが要求された場合、コピー回数管理部１２０は、自身が管理する該コンテンツデータのコピー可能回数から１減算し、減算後のコピー可能回数をコピー可能回数情報として格納する。また、本実施例のコピー回数管理部１２０は、一部のみのコピーが要求された場合には、その区間に関するコピー可能回数のみを減算し、他の区間のコピー可能回数については減算しないようにする。以下、コピー可能回数管理部１２０が管理するコピー可能回数情報について、図２を参照しながら簡単に説明する。
【００１５】
本実施例のコピー回数管理部１２０は、コピー可能回数情報として、ＨＤＤ部１１６に格納されるコンテンツデータに其々対応付けられたコピー可能回数を管理している。図２は、「散策京都」というタイトルで、１２月７日（金）の１：００〜２：５４に放送された番組に関するコピー可能回数情報の例である。
【００１６】
図２の例では、この番組に対し、開始位置からの時間に応じて区切られた各区間に応じてコピー可能回数が設定されている。具体的には、開始位置から３４分３８秒までの区間のコピー可能回数が６回、３４分３８秒から４０分２４秒までの区間のコピー可能回数が５回、４０分２４秒から５６分１０秒までの区間のコピー可能回数が６回、５６分１０秒から１時間１０分１３秒までのコピー可能回数が５回、１時間１０分１３秒から１時間２５分００秒までのコピー可能回数が４回、１時間２５分００秒から１時間４５分４５秒までのコピー可能回数が０回、１時間４５分４５秒から終了時間（１時間５４分）までのコピー可能回数が６回に設定されている。
【００１７】
尚、図２は１つのコンテンツデータのコピー可能回数情報だけを示しているが、コピー回数管理部１２０は、ＨＤＤ部１１６に格納された、著作権保護がなされている全コンテンツデータに対するコピー可能回数情報を管理している。
【００１８】
なお、コピー回数管理部１２０で管理されるコピー可能回数情報は、図１の例ではＨＤＤ部１１６とは別の構成として記載されているが、ＨＤＤ部１１６の内部に記憶するようにしてもよい。しかしながら、ユーザによる改ざんを防止し、著作権保護を十分に図るため、コピー可能回数情報は暗号化して管理することが望ましい。
【００１９】
再び図１の説明に戻り、ＨＤＤ部１１６に記録されたコンテンツデータは、他の記録メディアにコピー（複製）される場合、ＨＤＤ部１１６で読みだされ、暗号解読部１２２によりローカル暗号が解かれた後、暗号化部１２４によりコピー先の記録メディアに対応した暗号化処理が施された後、記録媒体に記録される。
【００２０】
本実施の形態では、記録媒体として、デジタルテレビジョン放送受信装置１００に対して着脱自在となる、たとえばＤＶＤ（Ｄｉｇital  Ｖｅｒｓａｔｉｌｅ  Ｄｉｓｋ）やＨＤ  ＤＶＤ（Ｈｉｇｈ  Ｄｅｆｉｎｉｔｉｏｎ  ＤＶＤ）等の光ディスクＤと、デジタルテレビジョン放送受信装置１００に外部接続される、たとえばＨＤＤ等を内蔵する記録再生装置とを想定している。
【００２１】
暗号化部１２４は、入力されたコンテンツデータに対して、例えば、コピー先の記録メディアとしてＤＶＤが指定される場合には、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）に準拠した暗号化処理を施すように機能し、コピー先の記録メディアとしてＨＤ  ＤＶＤが指定される場合には、ＡＡＣS（Ａｄｖａｎｃｅｄ  Ａｃｃｅｓｓ  Ｃｏｎｔｒｏｌ  Ｓｙｓｔｅｍ）に準拠した暗号化処理を施すように機能する。また、コンテンツデータがＩＥＥE（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格に準拠した形態で外部の記録再生装置に伝送される場合、暗号化部１２４は、入力されたコンテンツデータに対して、ＤＴＣＰ（Ｄｉｇｉｔａｌ  Ｔｒａｎｓｍｉｓｓｉｏｎ  Ｃｏｎｔｅｎｔ  Ｐｒｏｔｏｃｏｌ）に準拠した暗号化処理を施すように機能し、Ｅｔｈｅｒｎｅｔ（登録商標）等のＩＰ（Ｉｎｔｅｒｎｅｔ  Ｐｒｏｔｏｃｏｌ）経由で外部の記録再生装置に伝送される場合には、ＤＴＣＰ−ＩＰに準拠した暗号化処理を施すように機能する。
【００２２】
そして、暗号化部１２４で暗号化されたコンテンツデータは、ディスクドライブ部１２６に供給されることにより、そこに装着された光ディスクＤに記録される。また、暗号化部１２４で暗号化されたコンテンツデータは、デジタルＩ／Ｆ（Ｉｎｔｅｒｆａｃｅ）部１２８により、例えばＩＥＥＥ１３９４等のデジタル信号伝送規格に準拠したフォーマットに変換された後、外部の記録再生装置に供給され記録される。
【００２３】
上記のような構成とされたデジタルテレビジョン放送受信装置１００において、以下、その主要な処理動作について説明する。図３は、コンテンツ一覧画面表示処理をまとめたフローチャートを示している。
【００２４】
ユーザが、図示しないリモートコントローラ等の操作によりコンテンツ一覧の表示要求を行うと（Ｓ５０１のＹｅｓ）、ＧＵＩ処理部１１１は、図４に例を示すようなコンテンツ一覧画面を作成し、グラフィック処理部１１０へ出力する（Ｓ５０２）。尚ここで、ＧＵＩ処理部１１１は、コピー回数管理部１２０からコピー可能回数情報を取得し、この情報を元に、各コンテンツデータに対応するアイコンを作成してコンテンツ一覧画面上に配置する。その後、コンテンツ一覧画面でアイコンの選択等の操作が行われると、選択されたコンテンツデータに応じて複製や再生等の処理を行う（Ｓ５０３）．
【００２５】
以下、図４及び図５を参照しながら、コンテンツ一覧表示画面について説明する。
図４は、本実施例に係るＧＵＩ処理部１１１が作成するコンテンツ一覧表示画面の例を示す図である。図４の例では、図２に例を示したコピー可能回数情報を元に、各コンテンツデータに対応するアイコンを其々作成して配置している。より具体的には、本実施例のコンテンツ一覧表示画面３０では、「哲子の部屋」「Ｆ１中継」「世界の車から」「散策京都」「ガリレオ探偵」「不思議発見」を其々タイトルとして持つコンテンツデータのアイコン３１Ａ乃至３１Ｆを作成して配置している。これらのアイコンは、図示しないカーソルを上下左右に動かすことにより選択することができるようになっている。
【００２６】
図４のコンテンツ一覧表示画面３０に配置されるアイコンの形状について、図５を参照しながら詳述する。図５は、コンテンツ一覧表示画面３０に配置されるアイコン３１Ｄを示す図である。
【００２７】
アイコン３１Ｄは、サムネイル画像３０１と、区間毎のコピー可能回数を示すコピー可能回数画像３０２と、著作権保護形式を示す著作権保護形式画像３０３と、コンテンツ情報３０４とから構成される。
【００２８】
サムネイル画像３１ａは、該アイコンに対応するコンテンツデータから抽出した静止画像である。アイコン３１上にこのようなサムネイル画像３１ａを表示することにより、ユーザは内容を把握しやすくなる。
【００２９】
コピー可能回数情報画像３０２は、区間毎のコピー可能回数の概観を示す画像である。図５のコピー可能回数情報３０２の例では、横軸（図中矢印Ａ方向）に時間軸方向（左端がコンテンツ開始位置、右端がコンテンツ終了位置に対応）を、縦軸（図中矢印Ｂ方向）に、其々の区間のコピー可能回数を反映させた形状となっている。
【００３０】
このコピー可能回数画像３０２の構成は、図２に例を示したコピー可能回数情報から形成されている。具体的には、コンテンツの時間長は１時間５４分であるが、左端からおよそ（３４分３８秒/１時間５４分）の位置まで、縦軸方向の長さは６回分の幅を持ち、その後（３４分３８秒/１時間５４分  −  ４０分２４秒/１時間５４分）の位置までの縦軸方向の長さは、それよりも短い５回分の幅を持ち、その後（４０分２４秒/１時間５４分  −  ５６分１０秒/１時間５４分）の位置までの縦軸方向の長さは、６回分の幅を持つようになっている。その後の区間についても同様である。
【００３１】
区間毎にコピー可能回数を管理すると、ユーザにとってはより多くのコピー可能回数を確保できるため（著作権の保護範囲内で）利便性を確保することができるようになるが、一方で、コピー可能回数を把握するのが難しくなる。そこで、図４及び図５に例を示したように、画像の形状として、区間毎のコピー可能回数を示すことで、ユーザは直感的に各区間のコピー可能回数を把握できるようになる。さらに、アイコンを多数表示するコンテンツ一覧画面３０のような場合には、１つのコンテンツデータに割り当てることのできるスペースは限られており、コピー可能回数の詳細（たとえば図２のような表形式）を示すことは困難であるが、画像とすることにより、より少ないスペースでユーザに把握させることができるようになる。
【００３２】
著作権保護形式画像３０３は、著作権保護形式をユーザに伝えるための画像である。アイコン３１Ｄの例では、コピー可能回数画像３０１に隣接して配置された矩形の画像であり、斜線で塗りつぶされている。このように斜線で塗りつぶされている場合には、例えばダビング１０の著作権保護形式で放送された番組であることを示すことができる。この他、図４の例ではアイコン３１Ｂ、３１Ｆ内の著作権保護形式画像３０３が白色で塗りつぶされており、これによりコピーフリーであることをユーザに認識させることができる。尚、コピーフリーの場合にはコピー可能回数を標記する必要が無いので、図４のアイコン３１Ｂ、３１Ｆには、コピー可能回数画像３０２は標記されていない。この他、コピーワンスや、他の著作権保護形式のコンテンツデータがあれば、逐次その形式に応じて画像の色（塗りつぶし方）や形状を変化させればよい。
【００３３】
尚、本実施例では棒状の画像として示しているがこれに限られるものではなく、さらに、著作権保護形式を文字情報として示すようにしてもよい。
コンテンツ情報３０４は、タイトル、該コンテンツデータに係る番組の放送番組等の情報を、テキストデータとして表記したものである。このようなコンテンツ情報３０４を表示することにより、ユーザは何の番組を録画したコンテンツデータであるかを把握することができる。
【００３４】
続いて、図６を参照しながら、コンテンツデータの複製処理について説明する。図６は、コンテンツデータの複製時の処理の流れをまとめたフローチャートを示している。
【００３５】
例えばコンテンツ一覧表示画面３００上で１のコンテンツデータ（に対応するアイコン）を選択してユーザから複製を要求され、複製処理を開始すると、まず、複製をおこなう区間の指定をユーザから受ける（Ｓ６０１）。この指定方法は、たとえば開始位置及び終了位置の時間を指定させる方法でもよいし、チャプタをユーザに選択させるようにしてもよい。
【００３６】
複製区間の指定後、ユーザから複製開始の要求を受けると（Ｓ６０２のＹｅｓ）、複製を指示された指定区間全体について、複製可能回数が１回以上あるか否かをコピー回数管理部１２０に問い合わせる（Ｓ６０３）。もし、複製を指示された区間全体について、コピー可能回数が１回以上あれば（Ｓ６０３のＹｅｓ）、制御部１５０はＨＤＤ部１１６から該コンテンツデータを読み出して暗号解読部１２２及び暗号化部１２４を経てディスクドライブ部１２６若しくはデジタルＩ／Ｆ部１２８に出力させ、複製処理を行う（Ｓ６０４）。もしこの複製処理が成功すれば（Ｓ６０５のＹｅｓ）、コピー回数管理部１２０は、このコンテンツデータの複製区間について、コピー可能回数を１減算する（Ｓ６０６）。
【００３７】
もしユーザが複製を指示したコンテンツデータの区間に、設定されたコピー可能回数が０回（即ちＮｏＭｏｒｅＣｏｐｙの状態）の区間が含まれる場合、或いは複製処理に失敗した場合には（Ｓ６０５のＮｏ）、ＧＵＩ処理部１１１はエラーメッセージを作成して表示部１１２に表示させる（Ｓ６０７）．
【００３８】
このようにコピー可能回数を管理することで、ＨＤＤ部１１６に格納されたコンテンツデータの著作権を確実に保護することができる。また、区間毎にコピー可能回数を管理するようにしているので、ユーザは、たとえば歌番組で好みのアーティストが歌う場面等、一部の区間だけを複製する場合等にも、その他の部分の複製可能回数に影響を与えずに複製することができるようになる。
【００３９】
なお、本実施例ではコンテンツ一覧表示画面３０に複製可能回数画像３０２を表示する場合について説明を行ったが、これに限られるものではない。たとえば、コンテンツの複製を指示するための画面において、複製可能回数画像３０２を表示するようにしても良い。
【００４０】
また、区間毎のコピー可能回数を画像として示すことにより、比較的小さい面積で示すことができるとともに、視覚的に把握しやすくなる。
【図面の簡単な説明】
【００４１】
【図１】本発明の実施例１に係るデジタルテレビジョン放送受信装置の概略を示すブロック図。
【図２】本発明の実施例１に係るデジタルテレビジョン放送受信装置が管理するコピー可能回数情報の例を示す図。
【図３】本発明の実施例１に係るデジタルテレビジョン放送受信装置がコンテンツ一覧画面を表示する際の処理の流れを示すフローチャート。
【図４】本発明の実施例１に係るデジタルテレビジョン方送受信装置が表示するコンテンツ一覧画面の例を示す図。
【図５】本発明の実施例１に係るデジタルテレビジョン方送受信装置が表示するアイコンの例を示す図。
【図６】本発明の実施例１に係るデジタルテレビジョン方送受信装置が複製処理を行う際の処理の流れを示す図。
【符号の説明】
【００４２】
３０・・・コンテンツ一覧画面
３１Ａ、３１Ｂ、３１Ｃ、３１Ｄ、３１Ｅ、３１Ｆ・・・アイコン
１００・・・デジタルテレビジョン方送受信装置
１０２・・・アンテナ
１０４・・・デジタルチューナ部
１０６・・・暗号解読部
１０８・・・復号部
１１０・・・グラフィック処理部
１１１・・・ＧＵＩ処理部
１１２・・・表示部
１１４・・・暗号化部
１１６・・・ＨＤＤ部
１１８・・・コピー可能回数抽出部
１２０・・・コピー回数管理部
１２２・・・暗号解読部
１２４・・・暗号化部
１２６・・・ディスクドライブ部
１２８・・・デジタルＩ／Ｆ部
３０１・・・サムネイル画像
３０２・・・コピー可能回数画像
３０３・・・著作権保護形式画像
３０４・・・テキスト情報
【図１】
0005159327.tif 000002
【図２】
0005159327.tif 000003
【図３】
0005159327.tif 000004
【図４】
0005159327.tif 000005
【図５】
0005159327.tif 000006
【図６】
0005159327.tif 000007